(57)【要約】【課題】キースイッチ、テンキー装置、カードリーダー装置、タッチパネル等を必要とし、乗場意匠に対して大きな制約であること、テンキー装置やカードリーダー装置は高価なものであること、さらにキーあるいはカードを携帯する煩わしさがあるなどの問題がある。【解決手段】乗場ボタンで選択し、この乗場ボタンの初回押圧操作では乗場呼び登録することなく特定利用者であることを認識するための乗場ボタン操作時間を設定する第１制御手段、この乗場ボタン操作時間内に、乗場ボタンを複数回押圧操作するか、あるいは複数の乗場ボタンを所定の組み合わせで順次押圧操作することにより特定利用者であることを認識する第２制御手段を備え、第２制御手段による特定利用者の認識後、第１制御手段で選択した乗場ボタンを乗場呼びとして登録するものである。【選択図】図１
2006151630.tif 000002
【特許請求の範囲】
【請求項１】
特定のエレベーター乗場に、ＵＰ乗場呼びボタンおよび／またはＤＯＷＮ乗場呼びボタンを有する乗場ボタンを設置したエレベーターの乗場呼び登録装置において、
上記乗場呼びボタンでＵＰ方向またはＤＯＷＮ方向の乗場呼びを選択することにより、この乗場呼びボタンの初回操作では乗場呼び登録することなく特定利用者であることを認識するための乗場ボタン操作時間を設定する第１制御手段、
この第1制御手段により設定された乗場ボタン操作時間内に、上記乗場ボタンを複数回操作するか、あるいは上記複数の乗場ボタンを所定の組み合わせで順次操作することにより特定利用者であることを認識する第２制御手段を備え、
上記第２制御手段による特定利用者の認識後、上記第１制御手段で選択した乗場呼びの方向を乗場呼びとして登録することを特徴とするエレベーターの乗場呼び登録装置。
【請求項２】
中間階における特定のエレベーター乗場に、ＵＰ乗場呼びボタンおよびＤＯＷＮ乗場呼びボタンを有する乗場ボタンを設置したエレベーターの乗場呼び登録装置において、
上記乗場呼びボタンでＵＰ方向またはＤＯＷＮ方向の乗場呼びを選択することにより、この乗場呼びボタンの初回操作では乗場呼び登録することなく特定利用者であることを認識するための乗場ボタン操作時間を設定する第１制御手段、
この第1制御手段により設定された乗場ボタン操作時間内に、上記乗場ボタンを複数回操作するか、あるいは上記複数の乗場ボタンを所定の組み合わせで順次操作することにより特定利用者であることを認識する第２制御手段を備え、
上記第２制御手段による特定利用者の認識後、最初に操作した乗場呼びの方向を乗場呼びとして登録することを特徴とするエレベーターの乗場呼び登録装置。
【請求項３】
特定のエレベーター乗場に、一般者用ＵＰ乗場呼びボタン、車イス用ＵＰ乗場呼びボタンおよび／または、一般者用ＤＯＷＮ乗場呼びボタン、車イス用ＤＯＷＮ乗場呼びボタンを有する乗場ボタンを設置したエレベーターの乗場呼び登録装置において、
上記車イス用乗場呼びボタンでＵＰ方向またはＤＯＷＮ方向の乗場呼びを選択することにより、この車イス用乗場呼びボタンの操作では乗場呼び登録することなく特定利用者であることを認識するための乗場ボタン操作時間を設定する第１制御手段、
この第1制御手段により設定された乗場ボタン操作時間内に、上記乗場ボタンを複数回操作するか、あるいは上記複数の乗場ボタンを所定の組み合わせで順次操作することにより特定利用者であることを認識する第２制御手段を備え、
上記第２制御手段による特定利用者の認識後、上記第１制御手段で選択した乗場呼びの方向を乗場呼びとして登録することを特徴とするエレベーターの乗場呼び登録装置。
【請求項４】
中間階における特定のエレベーター乗場に、一般者用ＵＰ乗場呼びボタン、車イス用ＵＰ乗場呼びボタンおよび一般者用ＤＯＷＮ乗場呼びボタン、車イス用ＤＯＷＮ乗場呼びボタンを有する乗場ボタンを設置したエレベーターの乗場呼び登録装置において、
上記車イス用乗場呼びボタンでＵＰ方向またはＤＯＷＮ方向の乗場呼びを選択することにより、この車イス用乗場呼びボタンの操作では乗場呼び登録することなく特定利用者であることを認識するための乗場ボタン操作時間を設定する第１制御手段、
この第1制御手段により設定された乗場ボタン操作時間内に、上記乗場ボタンを複数回操作するか、あるいは上記複数の乗場ボタンを所定の組み合わせで順次操作することにより特定利用者であることを認識する第２制御手段を備え、
上記第２制御手段による特定利用者の認識後、最初に操作した乗場呼びの方向を、乗場呼びとして登録することを特徴とするエレベーターの乗場呼び登録装置。
【発明の詳細な説明】
【技術分野】
【０００１】
この発明は、エレベーターを特定階において特定者のみが利用することができる乗場呼び登録装置に関するものである。
【背景技術】
【０００２】
エレベーターを特定階において特定者のみが利用することができる従来の乗場呼び登録装置としては、例えば特定者の乗込み階において、一般利用者がエレベーターを利用できないように、特定者専用の外部機器（テンキー暗証登録装置）を設け、暗証番号入力により、特定者によるレベーターの乗場呼び登録を実施している。
この他、キースイッチ、テンキー装置、カードリーダー装置等の外部機器を備えることで乗場呼び登録を可能としてきた（特許文献１参照）。
また、高齢化が進んでいる現在においては、痴呆性老人に対する配慮が不可欠であり、夜間一人で勝手にエレベーターを利用して外出できないように、該当階の乗場に設置したセキュリティー装置と連動させ、乗場ボタンを1回押しただけでは乗場呼びが登録できない装置、例えば乗り場のタッチパネルに表示した乗り場ボタンの表示位置を変更し、複数位置で乗り場ボタンを操作することで呼び登録する装置が提案されている（特許文献２参照）。
【０００３】
【特許文献１】特開平５−１３２２４４号公報
【特許文献２】特開２０００−１２８４４４号公報
【発明の開示】
【発明が解決しようとする課題】
【０００４】
従来のエレベーターの乗場呼び登録装置では、
キースイッチ、テンキー装置、カードリーダー装置、タッチパネル等を必要とするため、乗場意匠に対して大きな制約であること、テンキー装置やカードリーダー装置は高価なものであること、さらにキーあるいはカードを携帯する煩わしさがあるなどの問題がある。
また、タイマーを用いて夜間などの特定時間帯に、特定階からのエレベーターの利用を制限することも考えられるが、この場合、特定者もエレベーターを利用できなくなり、階間移動の交通手段であるエレベーターの利便性が下がってしまうことになる。
この発明は、上記のような問題点を解消するためになされたものである。
【課題を解決するための手段】
【０００５】
この発明に係わるエレベーターの乗場呼び登録装置は、
□特定のエレベーター乗場に、ＵＰ乗場呼びボタンおよび／またはＤＯＷＮ乗場呼びボタンを有する乗場ボタンを設置したエレベーターの乗場呼び登録装置において、
上記乗場呼びボタンでＵＰ方向またはＤＯＷＮ方向の乗場呼びを選択することにより、この乗場呼びボタンの初回操作では乗場呼び登録することなく特定利用者であることを認識するための乗場ボタン操作時間を設定する第１制御手段、
この第1制御手段により設定された乗場ボタン操作時間内に、上記乗場ボタンを複数回操作するか、あるいは上記複数の乗場ボタンを所定の組み合わせで順次操作することにより特定利用者であることを認識する第２制御手段を備え、
上記第２制御手段による特定利用者の認識後、上記第１制御手段で選択した乗場呼びの方向を乗場呼びとして登録するものである。
【発明の効果】
【０００６】
この発明のエレベーターの呼び登録装置によれば、視覚のよる簡単な操作で、乗場呼び登録方法を承知している特定乗込み者に限りエレベーターを利用することができ、また乗場に特別の機器を設置する必要がないので乗場意匠の制約を受けることなく、低コストで乗場呼び登録装置を実現することができる。
【発明を実施するための最良の形態】
【０００７】
以下、図面に基づいて、この発明の各実施の形態を説明する。
なお、各図間において、同一符号は同一あるいは相当部分を示す。
図１は、この発明の各実施の形態におけるエレベーターの乗場呼び登録装置の概略を示す構成図で、この乗場呼び登録装置では、エレベーター乗場に、一般者用ＵＰ乗場呼びを登録するための乗場呼びボタン２、一般者用ＤＯＷＮ乗場呼びを登録するための乗場呼びボタン３、車イス用ＵＰ乗場呼びを登録するための乗場呼びボタン４、車イス用ＤＯＷＮ乗場呼びを登録するための乗場呼びボタン５が設置されている。これらのボタンの信号は、エレベーターかご室の昇降を制御するエレベーター制御装置１に伝送され、各乗場呼びボタンの応答灯は制御装置からの電力で後述するように点灯する。
【０００８】
実施の形態１．
図２は、この発明による実施の形態１である乗場呼び登録操作手順を示すフローチャートである（なお、この図２は、乗場に図１に示す車イス用ＵＰ乗場呼びボタン４、車イス用ＤＯＷＮ乗場呼びボタン５が設置されていない場合である）。
以下図１、図２にもとづき、エレベーターを特定階において利用できる特定乗込み者が、一般者用ＵＰ乗場呼び登録ボタンを押下操作することによるエレベーターかごのＵＰ方向への呼び登録について説明する。
エレベーターを利用できる特定乗込み者が、乗込み階の一般者用ＵＰ乗場呼びボタン２を押す（Ｓ１）と、この一般者用ＵＰ乗場呼びボタン２の応答灯が所定時間フリッカーする（Ｓ２）。一般者用ＵＰ乗場呼びボタン２の応答灯がフリッカーしている間に、同一の一般者用乗場呼びボタン２を、例えば３回押し特定利用者であることを認識する（Ｓ３）と、この一般者用ＵＰ乗場呼びボタン２の応答灯がフリッカーから点灯に変わり（Ｓ４）、一般者用ＵＰ乗場呼びが登録される（Ｓ５）と共に呼び登録されたことを点灯表示する。このようにして、特定階において特定者のみがエレベーターを利用できる状態となる。
尚、一般者用ＵＰ乗場呼びボタンの応答灯がフリッカーしている間に、同一の一般者用乗場呼びボタンを３回押すことができなければ、応答灯のフリッカーは消灯する（Ｓ６）。
もし、呼び登録が必要であれば、上記の操作をやり直せばよい。
【０００９】
実施の形態２． 
図３は、この発明による実施の形態２である乗場呼び登録操作手順を示すフローチャートである。（なお、この図３は、乗場に図１に示す車イス用ＵＰ乗場呼びボタン４、車イス用ＤＯＷＮ乗場呼びボタン５が設置されていない場合で、中間階の乗場で操作する場合である）。
以下図１、図３にもとづき、中間階においてエレベーターを利用できる特定乗込み者による一般者用ＵＰ乗場呼び登録操作について説明する。
【００１０】
エレベーターを利用できる特定乗込み者が、中間階の乗込み階の一般者用ＵＰ乗場呼びボタン２を押すと（Ｓ１）、一般者用ＵＰ乗場呼びボタン２の応答灯が所定時間フリッカーする（Ｓ２）。この一般者用ＵＰ乗場呼びボタンの応答灯がフリッカーしている間に、一般者用ＤＯＷＮ乗場呼びボタン３を押し（Ｓ６）、続いて一般者用ＵＰ乗場呼びボタン２を押し（Ｓ７）、最後に一般者用ＤＯＷＮ乗場呼びボタン３を再び押し特定利用者であることを認識すると（Ｓ８）、一般者用ＵＰ乗場呼びボタン２の応答灯がフリッカーから点灯に変わり（Ｓ４）、一般者用ＵＰ乗場呼びが登録される（Ｓ５）と共に呼び登録されたことを点灯表示する。このようにして、特定階において特定者のみがエレベーターを利用できる状態となる。
すなわち、この場合は、最初に希望するＵＰ方向の一般者用ＵＰ乗場呼びボタン２を押し、順次乗場ボタンを押し、最後に一般者用ＤＯＷＮ乗場呼びボタン３を押すと最初に押した一般者用ＵＰ乗場呼びボタンの乗場呼びが登録される。
尚、一般者用ＵＰ乗場呼びボタン２の応答灯がフリッカーしている間に、上記の順序で乗場ボタンを押すことができなければ、応答灯のフリッカーは消灯する（Ｓ６）。
【００１１】
実施の形態３．
図４は、この発明による実施の形態３である乗場呼び登録操作手順を示すフローチャートである。
以下図１、図４にもとづき、エレベーターを利用できる特定乗込み者による車イス用ＵＰ乗場呼び登録操作について説明する。
エレベーターを利用できる特定乗込み者は、乗込み階の車イス用ＵＰ乗場呼びボタン４を押すと（Ｓ９）、車イス用ＵＰ乗場呼びボタン４の応答灯が所定時間フリッカーする（Ｓ１０）。この車イス用ＵＰ乗場呼びボタン４の応答灯がフリッカーしている間に、一般者用ＵＰ乗場呼びボタン２を押し（Ｓ１１）、続いて車イス用ＤＯＷＮ乗場呼びボタン５を押し（Ｓ１２）、最後に一般者用ＤＯＷＮ乗場呼びボタン３を押し特定利用者であることを認識すると（Ｓ８）、車イス用ＵＰ乗場呼びボタン４の応答灯がフリッカーから点灯に変わり（Ｓ１３）、車イス用ＵＰ乗場呼びが登録される（Ｓ１４）と共に呼び登録されたことを点灯表示する。このようにして、特定階において特定者のみがエレベーターを利用できる状態となる。
すなわち、この場合は、最初に希望するＵＰ方向の車イス用ＵＰ乗場呼びボタン４を押し、順次一般者用ＵＰ乗場呼びボタン２、車イス用ＤＯＷＮ乗場呼びボタン５、一般者用ＤＯＷＮ乗場呼びボタン３の順に押すことにより最初に押した車イス用ＵＰ乗場呼びが登録される。
尚、車イス用ＵＰ乗場呼びボタン４の応答灯がフリッカーしている間に、上記の順序で乗場ボタンを押すことができなければ、応答灯のフリッカーは消灯する（１５）。
また、特定乗込階における乗場ボタンの押す順序については、最初に登録したい乗場呼びボタンを押し、例えば３回の乗場ボタン操作であることを予め決めておくことで、組合せを自由に改定することは可能である。
【図面の簡単な説明】
【００１２】
【図１】この発明の各実施の形態におけるエレベーターの乗場呼び登録装置の概略を示す構成図である。
【図２】この発明による実施の形態１である乗場呼び登録操作手順を示すフローチャートである。
【図３】この発明による実施の形態２である乗場呼び登録操作手順を示すフローチャートである。
【図４】この発明による実施の形態３である乗場呼び登録操作手順を示すフローチャートである。
【符号の説明】
【００１３】
１  エレベーターの制御装置                ２  一般者用ＵＰ乗場呼びボタン
３  一般者用ＤＯＷＮ乗場呼びボタン        ４  車イス用ＵＰ乗場呼びボタン
５  車イス用ＤＯＷＮ乗場呼びボタン。
【図１】
2006151630.tif 000003
【図２】
2006151630.tif 000004
【図３】
2006151630.tif 000005
【図４】
2006151630.tif 000006